(57)【要約】【課題】展示博物館、美術館、ショールームなどの展示施設において、その展示スペース内で行われている展示行為としての展示情報を、展示スペース内の利用者に提供するとともに、その展示スペース外にいる第三者にも、その展示情報を提供して、展示の面白さや魅力を伝えることができるようにする。【解決手段】展示スペース内の利用者に展示情報を提示するための利用者向けディスプレイ部１１と、該利用者の展示情報に関する信号の対話操作を可能とする対話操作パネル部１２と、該展示スペース内の各々展示物に備えられ且つ展示情報に関する無線信号を発信する各々展示情報発信部２１から展示情報に関する無線信号を対話信号操作により受信するための無線インターフェース部１３と、該展示スペース外の第三者に展示情報を提示するための第三者向け情報表示部１４とを備える展示情報提供デバイス１０。【選択図】図１
2007004657.tif 000002
【特許請求の範囲】
【請求項１】
展示スペース内の利用者に展示情報を提示するための利用者向けディスプレイ部１１と、該利用者の展示情報に関する信号の対話操作を可能とする対話操作パネル部１２と、該展示スペース内の各々展示物に備えられ且つ展示情報に関する無線信号を発信する各々展示情報発信部２１から展示情報に関する無線信号を対話信号操作により受信するための無線インターフェース部１３と、該展示スペース外の第三者に展示情報を提示するための第三者向け情報表示部１４とを備えることを特徴とする携帯型多人数協調型展示情報提供デバイス。
【請求項２】
請求項１記載の多人数協調型展示情報提供デバイスにおいて、前記ディスプレイ部１１は液晶表示ディスプレイであることを特徴とする携帯型多人数協調型展示情報提供デバイス。
【請求項３】
請求項１又は２記載の多人数協調型展示情報提供デバイスにおいて、前記対話操作パネル部１２はキーボードからなることを特徴とする携帯型多人数協調型展示情報提供デバイス。
【請求項４】
請求項１乃至３のいずれか１項記載の多人数協調型展示情報提供デバイスにおいて、前記無線インターフェース部１３はアンテナ１３ａと無線交信用ＣＰＵを搭載するＩＣチップ１３ｂとメモリ１３ｃから構成されていることを特徴とする携帯型多人数協調型展示情報提供デバイス。
【請求項５】
請求項１乃至４のいずれか１項記載の多人数協調型展示情報提供デバイスにおいて、前記第三者向け情報表示部１４は多色発光が可能な発光灯を備え、該発光灯の各発光色、点灯、点滅、消灯等の発光動作形態に対応して展示情報の内容を識別できるようにしたことを特徴とする携帯型多人数協調型展示情報提供デバイス。
【請求項６】
請求項１乃至５のいずれか１項記載の多人数協調型展示情報提供デバイスにおいて、前記発光灯がＬＥＤ発光方式の発光灯であることを特徴とする携帯型多人数協調型展示情報提供デバイス。
【請求項７】
請求項１乃至５のいずれか１項記載の多人数協調型展示情報提供デバイスにおいて、前記発光灯がタングステン発光方式又は蛍光発光方式の発光灯であることを特徴とする携帯型多人数協調型展示情報提供デバイス。
【請求項８】
請求項１乃至７のいずれか１項記載の多人数協調型展示情報提供デバイスにおいて、展示スペース内の各々展示物に備えられた各々前記展示情報発信部２１は、互いに有線接続ネットワーク又は無線接続ネットワークを介して接続していることを特徴とする携帯型多人数協調型展示情報提供デバイス。
【発明の詳細な説明】
【技術分野】
【０００１】
本発明は、展示博物館、美術館、ショールームなどの展示施設において、その展示スペース内で行われている詳細な展示情報を展示スペース内の利用者に提供するとともに、その展示スペース外にいる第三者にもその展示情報を見せて、その展示の面白さや魅力を伝えることができるようにした多人数協調型展示情報提供デバイスに関する。
【背景技術】
【０００２】
近年、博物館、美術館、ショールームなどの展示施設においては、実物や展示パネルなどを用いた従来型の展示形式に加えて、デジタル映像技術や、データベース技術、ネットワーク技術などのデジタル信号処理技術を応用した新しい展示形式が普及しつつある。
【０００３】
そして、このようなデジタル信号処理技術を用いることにより、従来型の展示方式では難しかった利用者各人の目的、興味、嗜好などに対応した個別情報の提供が容易にできるようになってきた。
【０００４】
例えば、個別情報の提供例としては、携帯端末を用いたインターフェースが実用化されており、これによって、例えばセンサーと連動させた詳細情報の表示や、利用者のプロファイルに基づいた最適な情報提供、利用者が得た情報の記録、利用者の履歴管理といった個別サービスが行われている。
【０００５】
また、図３に示すように、バーチャルリアリティ技術や強調現実感技術を用いて、装着型の映像表示デバイス１を身に着けた利用者２に、実在しない仮想物体を呈示したり、あるいは実物や風景を呈示したり、実在の物体や風景と仮想物体とを組み合わせて呈示したり、実在の物体の各種の情報を重ねて呈示するといった試みも行われている。
【０００６】
しかしながら、個人用のデバイスを用いたインターフェースでは、利用者間の相互作用が希薄になるという問題が存在する。これは、利用者の行動を他者から観察し難いという特性に起因するものである。
【０００７】
従来型の展示方法では、人が集まる、特定個所を注視する、メモを取る、資料を読む、といった個々の利用者自身の行動から他の利用者の動向を把握することができる。
【０００８】
例えば体験型のグループ学習においては、誰かが何かを発見した、記録を取っている、特定の場所に人が集まってきた、などの他者の行動が、参加者の興味を喚起したり、行動を決定させたりする要因となり、自然発生的な協調効果を生み出し、学習効果を向上させる。
【０００９】
また、展示スペース内に外から人を誘致しようとする場合、展示スペース内で行われている行為を外に見せ、面白さや魅力を伝えることが重要であるが、現在の個別情報提供デバイスは、このような第三者向けの情報呈示機能に欠けているものである。
【００１０】
以下に、本発明に関連する公知の特許文献を記載する。
【特許文献１】特許第２７６５７０３号公報
【発明の開示】
【発明が解決しようとする課題】
【００１１】
本発明の課題は、展示博物館、美術館、ショールームなどの展示施設において、その展示スペース内で行われている展示行為としての展示情報を、展示スペース内の利用者に提供するとともに、その展示スペース外にいる第三者にも、その展示情報を提供して、展示の面白さや魅力を伝えることができるようして、展示スペース外から、より多くの人を誘致して、より多くの利用者に、広く実物や展示パネル、デジタル映像技術、データベース技術、ネットワーク技術など、デジタル信号処理技術による新しい展示形式による展示情報を提供するための携帯型多人数協調型情報提供デバイスを提供することにある。
【課題を解決するための手段】
【００１２】
本発明の請求項１に係る発明は、展示スペース内の利用者に展示情報を提示するための利用者向けディスプレイ部１１と、該利用者の展示情報に関する信号の対話操作を可能とする対話操作パネル部１２と、該展示スペース内の各々展示物に備えられ且つ展示情報に関する無線信号を発信する各々展示情報発信部２１から展示情報に関する無線信号を対話信号操作により受信するための無線インターフェース部１３と、該展示スペース外の第三者に展示情報を提示するための第三者向け情報表示部１４とを備えることを特徴とする携帯型多人数協調型展示情報提供デバイスである。
【００１３】
本発明の請求項２に係る発明は、上記請求項１に係る多人数協調型展示情報提供デバイスにおいて、前記ディスプレイ部１１は液晶表示ディスプレイであることを特徴とする携帯型多人数協調型展示情報提供デバイスである。
【００１４】
本発明の請求項３に係る発明は、上記請求項１又は２に係る多人数協調型展示情報提供デバイスにおいて、前記対話操作パネル部１２はキーボードからなることを特徴とする携帯型多人数協調型展示情報提供デバイスである。
【００１５】
本発明の請求項４に係る発明は、上記請求項１乃至３のいずれか１項に係る多人数協調型展示情報提供デバイスにおいて、前記無線インターフェース部１３はアンテナ１３ａと無線交信用ＣＰＵを搭載するＩＣチップ１３ｂとメモリ１３ｃから構成されていることを特徴とする携帯型多人数協調型展示情報提供デバイスである。
【００１６】
本発明の請求項５に係る発明は、上記請求項１乃至４のいずれか１項に係る多人数協調型展示情報提供デバイスにおいて、前記第三者向け情報表示部１４は多色発光が可能な発光灯を備え、該発光灯の各発光色、点灯、点滅、消灯等の発光動作形態に対応して展示情報の内容を識別できるようにしたことを特徴とする携帯型多人数協調型展示情報提供デバイスである。
【００１７】
本発明の請求項６に係る発明は、上記請求項１乃至５のいずれか１項に係る多人数協調型展示情報提供デバイスにおいて、前記発光灯がＬＥＤ発光方式の発光灯であることを特徴とする携帯型多人数協調型展示情報提供デバイスである。
【００１８】
本発明の請求項７に係る発明は、上記請求項１乃至５のいずれか１項に係る多人数協調型展示情報提供デバイスにおいて、前記発光灯がタングステン発光方式又は蛍光発光方式の発光灯であることを特徴とする携帯型多人数協調型展示情報提供デバイスである。
【００１９】
本発明の請求項８に係る発明は、上記請求項１乃至７のいずれか１項に係る多人数協調型展示情報提供デバイスにおいて、展示スペース内の各々展示物に備えられた各々前記展示情報発信部２１は、互いに有線接続ネットワーク又は無線接続ネットワークを介して接続していることを特徴とする携帯型多人数協調型展示情報提供デバイスである。
【発明の効果】
【００２０】
本発明の携帯型多人数協調型展示情報提供デバイスは、展示スペース内の利用者が手に持って携帯でき、利用者は、展示スペース内の多数の展示物のうち、所定の展示物の前にて、その展示物の展示に関する情報を得るために、ディスプレイ部１１を見ながら、その展示物に付帯する展示情報発信部２１に向けて、対話操作パネル１２を用いて無線インターフェース部１３により無線対話操作しながら、その展示物の展示情報発信部２１から展示に関する情報を無線信号として得ることができ、そのディスプレイ部１１上には、その無線信号に基づいて、その展示物に関する展示情報を可視情報として表示することができる。
【００２１】
そして、その際に、本発明の携帯型多人数協調型展示情報提供デバイスは、搭載した発光灯による第三者向け情報表示部１４により、その展示物に付帯した展示情報発信部２１から得られた前記無線信号に基づいて、遠く離れた第三者にも識別可能な色光により可視情報として表示することができ、その提供デバイスを持った展示スペース内の利用者が当該展示物を注視している様子を、展示スペース外の第三者が認識することができる。
【００２２】
本発明によれば、デバイス利用者の展示物閲覧活動状況を他のデバイス利用者及び第三者から観察可能とした情報提供装置であるが、プライバシー保護の観点から、第三者から観察可能な情報を、利用者本人に呈示される詳細な展示情報に比較して、十分に簡略化した粗い展示情報とすることができる。
【００２３】
また、各利用者が個々に携帯する本発明の展示情報提供デバイスと、各々展示物毎に付帯する展示情報発信部とによる情報提供装置の動作をネットワーク接続によって連動させることにより、集団的な展示閲覧活動状況を、より明確に提示することができるものである。
【００２４】
このように、本発明の携帯型多人数協調型展示情報提供デバイスは、展示博物館、美術館、ショールームなどの展示施設において、その展示スペース内で行われている展示行為としての展示情報を、展示スペース内の利用者に提供するとともに、その展示スペース外にいる第三者にも、その展示情報を提供して、展示の面白さや魅力を伝えることができ、展示スペース外から、より多くの人を展示スペース内に誘致して、より多くの利用者に、広く実物や展示パネル、デジタル映像技術、データベース技術、ネットワーク技術など、デジタル信号処理技術による新しい展示形式による展示情報を提供するための携帯型多人数協調型情報提供デバイスを提供することができる。
【発明を実施するための最良の形態】
【００２５】
本発明の携帯型多人数協調型展示情報提供デバイスの実施の形態を図１（ａ）に示す展示情報提供デバイス１０の正面図に基づいて以下に詳細に説明すれば、展示スペース内の利用者に展示情報を提示するための利用者向けディスプレイ部１１を備える。
【００２６】
ディスプレイ部１１の下部には、展示スペース内の利用者が展示物の前にてその展示情報に関する信号の対話操作を可能とする対話操作パネル部１２を備える。
【００２７】
前記対話操作パネル部１２の内部には、該展示スペース内の各々展示物に備えられた展示情報発信部２１から展示情報に関する無線信号を対話信号操作により受信するための無線インターフェース部１３を備える。
【００２８】
前記ディスプレイ部１１の上部には、該展示スペース外の第三者に展示情報を提示するための発光灯による第三者向け情報表示部１４を備えている。
【００２９】
前記ディスプレイ部１１は、液晶表示方式によるディスプレイであってもいし、ＣＲＴ
表示方式によるディスプレイであってもよい。
【００３０】
前記対話操作パネル部１２は、プッシュボタン群による数字入力用テンプレートキー、文字入力用キー、操作モード変換キー、エンターキー、ＯＮ−ＯＦＦキーなどのキーボードが配列されている。
【００３１】
前記無線インターフェース部１３は、無線交信用のアンテナ１３ａと、無線交信入出力信号処理用のＣＰＵを搭載するＩＣチップ１３ｂと、信号データを記憶するメモリ１３ｃから構成されている。
【００３２】
本発明の上記展示情報提供デバイス１０は、図１（ｂ）の無線交信ネットワーク（ローカルエリアネットワーク）の説明図に示すように、展示スペース内にて閲覧する各利用者２が手に携帯して、そのデータ交信対話型の対話操作パネル１２の操作入力キーにより、所望の展示物（又はその利用者の目前にある展示物）の展示名称（展示テーマ）、展示項目、展示内容ヘッドライン等の入力キーワードを、ディスプレイ部１１に可視表示された選択メニューの中から選択して入力し、展示物毎に配備された展示情報発信部２１にアクセスすることにより、展示スペース内の各々展示物（例えば展示物Ａ、Ｂ、・・・）に備えられたそれぞれ展示情報発信部２１より発信する展示物の詳細展示情報を展示物毎に入手することができる。
【００３３】
また、本発明においては、図２の概要説明図に示すように、その利用者２が本発明の展示情報提供デバイス１０によって各展示物の展示情報を入手する毎に、その展示情報提供デバイス１０に搭載した発光灯による第三者情報表示部１４により、その展示物の粗い展示情報とデバイス１０の操作内容が、その展示スペース外の第三者３に対して、可視情報として提示されるものであり、その第三者３は、利用者２が携帯する展示情報提供デバイス１０の第三者情報表示部１４の発光灯を遠距離から観察することにより、利用者２のその展示物に対する注目度や、利用者２の関心事項等（人気状況等）の展示物に関する利用者２の対応情報を認識することができる。
【００３４】
本発明において前記第三者向け情報表示部１４に使用する発光灯は、その発光方式を特に限定するものではないが、例えば、多色発光が可能なＬＥＤ（発光ダイオード）発光方式の発光灯、あるいはタングステン発光方式、蛍光発光方式の発光灯であり、発光する各色光に対応して、利用者２のデバイス操作内容や提供された展示情報の内容等を識別できるようになっている。
【００３５】
また、図１（ｂ）に示すように、展示スペース内の各々展示物Ａ、Ｂ、・・・に備えられた各々前記展示情報発信部２１は、必要に応じて、互いに有線接続ネットワークＮ又は無線接続ネットワークＮを介して接続しているものである。
【００３６】
例えば、各々利用者が携帯可能な本発明の展示情報提供デバイス１０における対話操作パネル１２の操作入力キーを用いて所定の周波数の無線信号として展示情報発信部２１に対して発信しアクセスして入力する選択情報や指示情報としては、例えば展示テーマ名、展示ブース番号、展示名称、展示項目、展示物名称、展示者、展示内容ヘッドライン、展示粗情報等がある。
【００３７】
である。
【００３８】
また、各々利用者の携帯する展示情報提供デバイス１０の対話操作パネル１２から発信される選択情報や指示情報に基づいて、各々展示物に付帯する各々展示情報発信部２１から展示情報提供デバイスに対して応答発信する詳細展示情報としては、例えば、展示テー
マ名、展示ブース番号、展示名称、展示物名称、展示者、展示内容詳細情報等がある。
【００３９】
このように、本発明の携帯型多人数協調型展示情報提供デバイス１０は、展示スペース内のデバイス利用者に詳細な展示情報を可視呈示するためのディスプレイ部１１を備え、また、展示スペース（又は展示物）から離れた場所の第三者に対して粗い展示情報を呈示するための第三者向け情報表示部１４を備え、デバイス利用者と展示物に付帯した展示情報発信部２１との対話操作を可能とする対話操作パネル１２を備え、展示物に備えられた展示情報発信部２１からの展示情報を得るための無線インターフェース部１３を備えている。
【００４０】
対話操作パネル１２の操作キーによる利用者の入力指示により、受信可能な状態にある利用者の携帯するデバイス１０が、各々展示物（展示物の中あるいは展示物の裏側など隠れた個所、展示物を載置した台の中又は台の側など）に備えた展示情報発信部２１の無線信号有効エリア内に入ると、該当する展示物についての詳細情報が、デバイス１０の無線インターフェース部１３に受信されて利用者２の携帯するデバイス１０のディスプレイ部１１に表示される。
【００４１】
利用者２は、操作パネル１２を用いて展示情報発信部２１から受信された全情報の中から、所望の情報を選択することができる。また、得られた情報を利用者デバイス１０のメモリ１３ｃに蓄積したり、後から、そのメモリ１３ｃに蓄積した情報を検索して、ディスプレイ部１１に表示することもできる。
【００４２】
第三者向け情報表示部１４は、展示スペース内の利用者により操作される対話操作パネル１２の操作キーにより入力される選択情報や指示情報のデータに基づいて可視情報を識別表示するものである。
【００４３】
展示スペース内の利用者により操作される対話操作パネル１２の操作キーによる利用者の操作状況（又は利用者により操作される対話操作パネル１２の操作キーによる利用者の展示閲覧状況）を遠距離から可視認識が可能なように識別表示するものである。
【００４４】
例えば、第三者向け情報表示部１４は、展示スペース内の利用者により操作される対話操作パネル１２の操作キーにより入力される選択情報や指示情報のデータに基づいて動作する、多色発光が可能なＬＥＤ表示器であり、前記選択情報や指示情報に対応する色光の色調と点滅等により識別表示することができる。
【００４５】
例えば、そのデバイス１０における第三者向け情報表示部１４の多色発光形態と、そのデバイス１０における対話操作パネル１２の操作キーによるデバイス利用者２の操作状況（操作キーによる選択情報や指示情報）との対応関係の一実施例を以下に説明する。
【００４６】
第三者向け情報表示部１４の多色発光形態        デバイス利用者の操作状況        
非点灯・・・・・・・・・・・・・・停止中
赤点灯・・・・・・・・・・・・・・情報表示操作中
赤点滅・・・・・・・・・・・・・・情報表示中
（例えば情報の種類により異なる
点滅周期）
緑点灯・・・・・・・・・・・・・・蓄積情報表示操作中
緑点滅・・・・・・・・・・・・・・蓄積情報表示中
（例えば情報の種類により異なる
点滅周期）
黄点滅・・・・・・・・・・・・・・情報蓄積中
（例えば情報の種類により異なる
点滅周期）
上記色光の点滅周期（点滅パターン）は、例えば展示情報発信部２１からデバイス１０に伝送される情報データ（信号）に埋め込まれた点灯のＯＮ、ＯＦＦ指令データによって決定される。
【００４７】
これによって、デバイス利用者２は、展示スペース内の周囲の他のデバイス利用者の展示閲覧行動の概要を把握することができ、相互の利用者２の行動観察による利用者間の協調行動を促すことができ、また第三者３に対しても協調行動を促すことができ、展示スペース外の第三者３に対する展示スペース内への誘致が可能となる。なお、第三者３に認知される情報は、通常の活動において他者から認知される程度の粗いものとすることにより利用者のプライバシーを害しないようにすることができる。
【００４８】
特定情報へのアクセス中には、デバイス１０の第三者向け情報表示部１４が点滅するものであるが、複数の利用者が同一の情報にアクセスしている場合には、それら利用者同士の第三者向け情報表示部１４は互いに一斉に同一の点滅周期（点滅パターン）による点滅となる。
【００４９】
これにより、展示情報の詳細内容までは識別できないものの、複数の利用者が同じ情報に関心（協調）を示していることが認知される。
【００５０】
また、本発明においては、図１（ｂ）に示すように、展示スペース外のインターネット等の外部ネットワークＮ及び展示スペース内のローカルエリアネットワークＮ（ＬＡＮ）と、それらネットワークに接続した各々展示物に付帯した各々情報発信部２１とを経由して共通の時刻情報を送信することができ、利用者デバイス１０を標準時に同期させることにより、同一周期で点滅している複数の利用者デバイス１０の点滅動作の開始（ＯＮ）、終了（ＯＦＦ）のタイミングを一致させることができる。これによって、複数の利用者デバイス１０の点滅パターンが同一であることを、より明確に他の利用者及び第三者に伝えることができる。
【００５１】
また、本発明においては、前記利用者デバイス１０の第三者向け情報表示部１４に替えて、利用者２の操作状況（展示物観察状況）を他の利用者２及び第三者３に認識させる方式としては、遠隔地から視認可能な大型画面（投影スクリーン）による情報表示器を用いたり、利用者デバイス１０上に、規則的に（又はある約束に基づいて）配置された複数の発光素子の点灯、消灯、あるいは点滅により作る各種の色光形状パターンによる識別表示方式を用いることができる。
【００５２】
また、例えば、第三者向け情報表示部１４に替えて、各々展示物Ａ、Ｂ、・・・の付近に、該表示部１４の機能を果たすような情報表示器を設置し、展示物の近傍の利用者の閲覧活動状況を集中表示したり、展示スペース全体の利用者の閲覧活動状況を表示する遠隔地から視認可能な大型画面（投影スクリーン）による情報表示器を用いて多数の利用者の閲覧活動状況を集中表示するなどのバリエーションがある。
【図面の簡単な説明】
【００５３】
【図１】（ａ）は本発明の携帯型多人数協調型展示情報提供デバイスの一例を説明する正面図、（ｂ）はそのデバイスのシステムとしての利用形態を説明するシステムブロック図。
【図２】本発明の携帯型多人数協調型展示情報提供デバイスによる利用者と第三者との間のシステムとしての利用形態を説明するシステムブロック図。
【図３】従来の展示情報提供デバイスの利用形態を説明するシステムブロック図。
【符号の説明】
【００５４】
１…映像表示デバイス
２…利用者
３…第三者
１０…携帯型多人数協調型展示情報提供デバイス
１１…利用者向けディスプレイ部
１２…対話操作パネル部１２
１３…無線インターフェース部
１４…第三者向け情報表示部
２１…展示情報発信部２１
Ａ、Ｂ…展示物
【図１】
2007004657.tif 000003
【図２】
2007004657.tif 000004
【図３】
2007004657.tif 000005